(57)【要約】      （修正有）【課題】アスベストおよびアスベスト２次製品を含む建造物１の各部屋又は一軒家の各部屋のアスベスト除去作業時に周辺の住民に対する中皮腫疾患の危害発生を未然に防止し、かつアスベスト除去作業の効率化を図る事ができるアスベスト除去装置を提供する。【解決手段】アスベストおよびアスベスト２次製品を含む建造物１の各部屋又は一軒家の各部屋をテント２で覆って、テント２内を密封するとともに、テント２内で建造物１の各部屋又は一軒家の各部屋の外周面をエアーレス散水機を使用した湿潤剤などで作業員８が湿潤させ、他の作業員８がアスベスト外周面を工具で除去した状態で、テント２内にヘパフィルタを備えた負圧吸塵機５を配置し、テント２内で、作業員がアスベスト除去作業を行う。建造物１又は一軒家からアスベストおよび粉塵１０が落下すると同時に発生する飛散性のアスベストおよび粉塵１０をテント２内で負圧吸塵機５で吸引し、飛散性のアスベストおよび粉塵１０がテント２の外部に漏洩させないようにする。【選択図】図１
0003116813.tif 000002
【実用新案登録請求の範囲】
【請求項１】
アスベストおよびアスベスト２次製品を含む建造物の各部屋又は一軒家の各部屋のアスベスト除去作業に際してあらかじめ上記建造物の各部屋又は一軒家の各部屋を覆うテントと、
上記建造物の各部屋又は一軒家の各部屋をテントで覆ってアスベスト除去作業前にあらかじめエアーレス散水機を使用した湿潤剤などの液体を噴射することによりこの外周面を湿潤させて上記建造物のアスベスト除去作業時に飛散性のアスベストおよび粉塵の飛散を防止するためのスプレーと、
上記テントの下端周縁と地面との境界を密封して上記建造物のアスベスト除去作業時に上記テント内の飛散性のアスベストおよび粉塵が上記テントの外部に飛散するのを防止するスプレーシールと、
上記テント内に設置され、上記建造物の各部屋又は一軒家の各部屋のアスベスト除去作業時に上記テント内に飛散性のアスベストおよび粉塵をヘパフィルタで吸着するとともに吸塵する負圧吸塵機とを備えることを特徴とするアスベスト除去装置。
【考案の詳細な説明】
【技術分野】
【０００１】  この考案は、アスベストおよびアスベスト２次製品を含む建造物のアスベスト除去作業時に、飛散するアスベストおよび粉塵がアスベスト除去作業現場から周辺に飛散するの防止することにより、アスベスト除去作業員や現場周辺の住民に対するアスベストに起因する中皮腫疾患などによる健康被害の発生を未然に防止できるようにしたアスベスト除去装置に関する。
【背景技術】
【０００２】  最近、アスベストに起因するガンの１種である中皮腫が大きな社会的問題になっている。この中皮腫は、たとえば、アスベストおよびアスベスト２次製品を含む建造物のアスベスト除去作業時に、作業現場およびその周辺に微粒子となって飛散するアスベストの粉塵を除去作業員や除去作業現場周辺に居住する住民が吸引することにより疾患するものである。【０００３】  このような微粒子となって飛散するアスベストを除去するために、従来は、アスベストおよびアスベスト２次製品を含む建造物のアスベスト除去時には、建造物のアスベスト除去部外面にあらかじめ水などにより湿潤させるととも、建造物の周囲をシートで覆うようにしているのが一般的である。
この場合、水などにより建造物を湿潤しても、アスベスト粉塵の飛散は完全に除去することができず、しかもシートのみで覆うものであるから、アスベスト粉塵の周辺への飛散は不可避的である。【０００４】  また、別のアスベスト粉塵の除去処理としては、圧縮空気や高圧ジェット水をアスベストあるいはアスベスト２次製品を含む建造物に噴射することにより、アスベストを剥ぎ取って除去処理することが知られている。
この除去処理の一例として、例えば，特開平８−２８０２６号公報には、建物の天井や壁などの被吹き付け部分に施工された吹付けアスベスト層を吹付け部分から除去する場合に、アスベスト層の除去しようとする領域の外方を覆うように箱型のフードの端縁部をこのアスベスト層に食い込ませるとともに、このフードの端縁部周辺のアスベストを境界安定剤により安定させ、フードをアスベスト層に固定してフードの内部を隔絶させ、フード内においてアスベストを剥離することが開示されている。
【考案が解決しようとする課題】
【０００５】  この公報の場合には、アスベスト層の除去しようとする領域のみの外方をフードで覆って、フードの内部を隔絶させてフード内のアスベストを剥離するものであるから、アスベストの剥離に際して、フード内でのみアスベストの粉塵が飛散するのみであり、アスベストの除去領域以外には、アスベストの粉塵が飛散しないことが想定される。
しかし、この公報の場合には、アスベストの除去する部位ごとに、フードでアスベストを覆うようにしなければならず、広範囲の領域のアスベストを除去するに、その都度フードを剥離しようとするアスベストの領域を覆う作業を繰り返さなければならず、その作業が煩雑であり、作業効率が極めて悪い。
また、剥離しようとするアスベストの領域ごとに、フードを移動させて、フードをこの領域に覆う作業中にフード内に残存しているアスベスト粉塵がフードの外部に飛散するおそれも否定できない。その結果、アスベスト粉塵の完全除去も難しくなるという課題がある。
【０００６】  上記課題を解決するために、この考案は、アスベストおよびアスベスト２次製品を含む建造物の内部のアスベスト除去作業に際して、建造物の各部屋をテントで覆うとともに、テントの内部を密封状態にして、建造物の各部屋又は一軒屋の各部屋のアスベスト除去面をスプレーにより液体を噴射させて湿潤させた状態で、建造物のアスベスト除去作業を行うことにより、飛散性のアスベストおよび粉塵をテント内に閉じ込めた状態でヘパフィルタを備えた負圧吸塵機で吸着および吸塵することにより、飛散性のアスベストおよび粉塵を除去作業現場から飛散するのを防止して中皮腫疾患の発生を未然に防止することができ、かつ除去作業効率の向上を期すことができるアスベスト除去装置を提供することを目的とする。
【課題を解決するための手段】
【０００７】  上記目的を達成するために、この考案のアスベスト除去装置は、アスベストおよびアスベスト２次製品を含む建造物の各部屋又は一軒屋の各部屋のアスベスト除去作業に際してあらかじめ上記建造物全体の各部屋を覆うテントと、上記建造物のアスベスト除去作業前にあらかじめ上記建造物の各部屋に液体を噴射することによりこの外周面を湿潤させて上記建造物の除去作業時に飛散性のアスベストおよび粉塵の飛散を防止するためのスプレーと、上記テントの下端周縁と地面との境界を密封して上記建造物のアスベスト除去作業時に上記テント内の飛散性のアスベストおよび粉塵が上記テントの外部に飛散するのを防止するスプレーシールと、上記テント内に設置され、上記建造物のアスベスト除去作業時に上記テント内に飛散する飛散性のアスベストおよび粉塵をヘパフィルタで吸着するとともに吸塵する負圧吸塵機とを備えることを特徴とするものである。
【０００８】  上記テントで覆われたアスベストおよびアスベスト２次製品を含む建造物のアスベスト除去作業時に際してあらかじめ、スプレーにより建造物の外周面に液体を噴射することにより、建造物を湿潤させるので、アスベスト除去時に発生しようとする飛散性のアスベストおよび粉塵の飛散を抑制する。
また、建造物の除去時に飛散する飛散性のアスベストおよび粉塵はテント内で飛散してもテントの下端縁と地面との境界はスプレーシールによりテント内が密封されているから、テントの外部に漏洩することがない状態で負圧吸塵機のヘパフィルタで吸着するとともに吸塵する。
【考案の効果】
【０００９】  このように、この考案のアスベスト除去装置によれば、アスベストおよびアスベスト２次製品を含む建造物の各部屋又は一軒屋の各部屋のアスベスト除去に際して、建造物の各部屋又は一軒屋の各部屋をテントで覆うとともに、テントの内部を密封状態にして、建造物の外周面をスプレーにより液体を噴射させて湿潤させた状態で、建造物のアスベスト除去を行うことにより、周辺の住民に対してアスベスト粉塵による中皮腫などを疾患するような危害を及ぼすことを未然に防止することができるとともに、テント内で一気にアスベスト除去をすることが出来効率化を図ることができる。
【考案を実施しようとする最良の形態】
【００１０】  以下、この考案の実施の形態を図面に基づき説明する。図１はこの考案によるアスベスト除去装置の実施形態を示す斜視図であり、アスベストおよびアスベスト２次製品を含む建造物１の各部屋又は一軒屋の各部屋のアスベスト除去がテント２で包囲されている状態を透視図として示している。図２は吸塵機の裏面の斜視図である。
テント２の形状としては、たとえば、日本の木造住宅の形状にたとえれば、切り妻型の住宅のような形状をなしており、その平面形状が長方形になっている。
【００１１】  このテント２の内部において、テント２の底面の長方形の対角線上に、吸塵機４，負圧吸塵機５もあらかじめ設置しておく。
この負圧吸塵機５はヘパフィルタを備え、飛散性のアスベストおよび粉塵を吸着すようになっているとともに、この飛散性のアスベストおよび粉塵、その他の粉塵も吸塵する機能を備えている。
【００１２】  また、テント２の所定位置、たとえば、テント２の入口２ａは３つに区切って空気が外に漏れないように入口用にする。入口２ａは矢印Ａ５で示すように、空気の流入口としている。空気の流入口とするのは、テント２内に飛散性のアスベストおよび粉塵が飛散して、負圧吸塵機５で吸塵する際に、負圧吸塵機５による吸気作用によって、テント２内の空気圧が負圧になり、テント２がこれらの負圧吸塵機５で吸着され、飛散性のアスベストおよび粉塵の吸塵作用が低下するのを防止するためである。
【００１３】  さらに、テント２の下端縁２ｂは、その全周に亘って、下端縁２ｂと地面６との境界には隙間をなくするように、スプレーシール７が施されている。
スプレーシール７を施すのは、テント２内から飛散性のアスベストおよび粉塵がテント２の外部に漏洩するのを防止するためであり、このスプレーシール７を施すことによって、テント２内は、密封状態になっている。
【００１４】  次に、以上のように構成されたこの考案のアスベスト除去装置による飛散性のアスベストおよび粉塵の吸塵作用について説明する。
まず、アスベストおよびアスベストと２次製品を含む建造物１の各部屋又は一軒屋の各部屋のアスベスト除去作業に際して、各部屋をテント２で覆う。次いでテント２内には粉塵を除去するフィルター３ａを設けた吸塵機４及び排気ダクト３を設けた負圧吸塵機５を配置する。
さらに、テント２の下端縁２ｂの全周と地面６との境界には、隙間が生じないように、スプレーシール７を施す。このスプレーシール７は、速乾型密着スプレーシールを用いる。
スプレーシール７を施すことにより、地面６とテント２間の隙間がなくなり、テント２内は外部に対して密封状態になる。
【００１５】  このような前準備を整えた状態で、建造物１の各部屋又は一軒屋の各部屋のアスベスト除去作業に移行する際に、テント２の入口２ａからテント２内に入った作業員８によりあらかじめ、建造物１の各部屋又は一軒屋の各部屋の外表面をエアーレス散水機を使用した湿潤剤などで湿潤させ、他の作業員８がこの建造物１の各部屋又は一軒屋の各部屋のアスベスト外周面の除去作業を行う。
【００１６】  また、テント２内に飛散して充満した飛散性のアスベストおよび粉塵１０は、テント２内で負圧吸塵機５に備えられたヘパフィルタで吸着されるとともに、この負圧吸塵機５で吸塵される。
この負圧吸塵機５で飛散性のアスベストおよび粉塵１０を除去された清潔な空気は負圧吸塵機５から矢印Ａ４方向にテント２の外部に排出される。
【００１７】  したがって、建造物１の作業時に飛散する飛散性のアスベストおよび粉塵１０はテント２内で吸塵処理され、テント２から外部に漏洩することがなく、建造物１又は周辺の環境を悪化せせることがなくなる。
これにより、建造物１の各部屋又は一軒屋の各部屋のアスベスト除去により周辺の住民に対して、飛散性のアスベストに起因する中皮腫を誘発する危険性を未然に防止することができる。
【００１８】  これにともない、負圧吸塵機５による連続的な吸塵作用を行はせることができ、このため吸塵時間も短縮することができ、ひいては、テント２から飛散性のアスベストおよび粉塵のテント２外への漏洩の抑制効果も得られることになる。
【００１９】  このように、最良の実施の形態では、アスベストおよびアスベスト２次製品を含む建造物の各部屋又は一軒屋の各部屋をテント２で覆うとともに、テント２の内部を密封状態にして、建造物の各部屋又は一軒屋の各部屋の外周面をスプレーにより液体を噴射させて湿潤させた状態で、建造物の周辺の住民に対してアスベスト粉塵による中皮腫などを疾患するような危害を及ぼすことを未然に防止することができる。
【図面の簡単な説明】
【００２０】
【図１】  この考案によるアスベスト除去装置の実施の形態の全体的構成を示す斜視図である。
【図２】  この考案によるアスベスト除去装置の実施の形態の吸塵機の裏面図である。
【符号の説明】
【００２１】    １          建造物
２          テント
２ａ        入口
２ｂ        下端縁
３          排気ダクト
３ａ        フィルター
４          吸塵機
５          負圧吸塵機
６          地面
７          スプレーシール
８          作業員
９          スプレー
１０        飛散性のアスベストや粉塵
【図１】
0003116813.tif 000003
【図２】
0003116813.tif 000004